(57)【要約】【課題】摘出された臓器の虚血時間を推定できる技術を提供する。【解決手段】この虚血時間推定方法においては、まず、前記臓器にバイオマーカーを含む灌流液を灌流する工程（ステップＳＴ２００〜ＳＴ４００）を行う。次に、臓器から排出された排出液に含まれるバイオマーカーの濃度を測定する工程（ステップＳＴ３００）を行う。続いて、バイオマーカーの濃度の測定結果からバイオマーカーの減少量を算出する工程（ステップＳＴ５００）を行う。そして、虚血時間およびバイオマーカーの減少量の関係を示す推定関数と、バイオマーカーの減少量の算出結果とから、臓器の前記虚血時間を推定する工程（ステップＳＴ６００）を行う。【選択図】図３
2020046240.tif 000002
【特許請求の範囲】
【請求項１】
摘出された臓器の虚血時間を推定する虚血時間推定方法であって、
ａ）前記臓器にバイオマーカーを含む灌流液を灌流する工程と、
ｂ）前記工程ａ）において前記臓器から排出された排出液に含まれる前記バイオマーカーの濃度を測定する工程と、
ｃ）前記工程ｂ）の測定結果から前記バイオマーカーの減少量を算出する工程と、
ｄ）前記虚血時間および前記バイオマーカーの前記減少量の関係を示す推定関数と、前記工程ｃ）の算出結果とから、前記臓器の前記虚血時間を推定する工程と、
を有する、虚血時間推定方法。
【請求項２】
請求項１に記載の虚血時間推定方法であって、前記工程ａ）の前に、
ｅ）虚血時間が既知である複数の前記臓器に対して、前記バイオマーカーを含む灌流液を灌流する工程と、
ｆ）前記工程ｅ）において複数の前記臓器のそれぞれから排出された排出液に含まれる前記バイオマーカーの濃度を測定する工程と、
ｇ）前記工程ｆ）の測定結果から、複数の前記臓器のそれぞれについて前記バイオマーカーの前記減少量を算出する工程と、
ｈ）複数の前記臓器の前記虚血時間と前記バイオマーカーの前記減少量との関係から、前記推定関数を算出する工程と、
をさらに有する、虚血時間推定方法。
【請求項３】
請求項１または請求項２に記載の虚血時間推定方法であって、
前記臓器は、肝臓であって、
前記バイオマーカーは、インドシアニングリーンである、虚血時間推定方法。
【請求項４】
請求項３に記載の虚血時間推定方法であって、
前記虚血時間は、温虚血時間である、虚血時間推定方法。
なる）
【請求項５】
請求項３または請求項４に記載の虚血時間推定方法であって、
前記推定関数は、前記虚血時間が大きくなるにつれて、前記バイオマーカーの前記減少量が大きくなる関数である、虚血時間推定方法。
【請求項６】
請求項３ないし請求項５のいずれかに記載の虚血時間推定方法であって、
前記推定関数は、前記バイオマーカーの前記減少量を、前記虚血時間の１次関数で示した関数である、虚血時間推定方法。
【請求項７】
摘出された臓器の虚血時間を推定する虚血時間推定装置であって、
前記臓器にバイオマーカーを含む灌流液を灌流する灌流部と、
前記灌流部において前記臓器から排出された排出液に含まれる前記バイオマーカーの濃度を測定する測定部と、
前記測定部の測定結果から前記バイオマーカーの減少量を算出する減少量算出部と、
前記虚血時間および前記バイオマーカーの前記減少量の関係を示す推定関数と、前記減少量算出部の算出した前記減少量とから、前記臓器の前記虚血時間を推定する虚血時間推定部と、
を有する、虚血時間推定装置。
【請求項８】
請求項７に記載の虚血時間推定装置であって、
前記臓器は、肝臓であって、
前記バイオマーカーは、インドシアニングリーンである、虚血時間推定装置。
【請求項９】
請求項８に記載の虚血時間推定装置であって、
前記虚血時間は、温虚血時間である、虚血時間推定装置。
【請求項１０】
請求項８または請求項９に記載の虚血時間推定装置であって、
前記推定関数は、前記虚血時間が大きくなるにつれて、前記バイオマーカーの前記減少量が大きくなる関数である、虚血時間推定装置。
【請求項１１】
請求項８ないし請求項１０のいずれかに記載の虚血時間推定装置であって、
前記推定関数は、前記バイオマーカーの前記減少量を、前記虚血時間の１次関数で示した関数である、虚血時間推定装置。
【発明の詳細な説明】
【技術分野】
【０００１】
本発明は、摘出された臓器の虚血時間推定方法および虚血時間推定装置に関する。
【背景技術】
【０００２】
従来、生体内の臓器の評価方法については、いくつかの方法が知られている。従来の臓器の評価方法として、例えば、特許文献１には、肝臓疾患マーカーとその測定方法が記載されている。特許文献１に記載の方法によれば、生体内の肝臓がどのような疾患を有しているかを推定することができる。
【０００３】
一方、臓器移植手術を行う場合や、摘出された臓器を用いて実験を行う場合などにおいて、摘出された臓器の虚血時間や、外的損傷、内的損傷等の状態を把握することが重要である。
【先行技術文献】
【特許文献】
【０００４】
【特許文献１】特開２０１１−２３２１６４号公報
【発明の概要】
【発明が解決しようとする課題】
【０００５】
しかしながら、摘出した臓器について、その状態を評価する方法については確立されていない。臓器を摘出した場合、摘出後、移植手術を行う他の施設や他の部屋などに搬送する場合がある。このような場合、搬送先においては、臓器摘出時のドナーの状態や、臓器摘出手術中の臓器の状態、または搬送の方法などにより、臓器の虚血時間を正確に把握することは困難である。
【０００６】
一方で、虚血時間の長さによって、臓器の回復処理の必要性、レシピエントへの適合性および臓器の生着率が異なる。このため、臓器の虚血時間をできるだけ正確に把握することが好ましい。
【０００７】
本発明は、このような事情に鑑みなされたものであり、摘出された臓器の虚血時間を推定できる技術を提供することを目的とする。
【課題を解決するための手段】
【０００８】
上記課題を解決するため、本願の第１発明は  摘出された臓器の虚血時間を推定する虚血時間推定方法であって、ａ）前記臓器にバイオマーカーを含む灌流液を灌流する工程と、ｂ）前記工程ａ）において前記臓器から排出された排出液に含まれる前記バイオマーカーの濃度を測定する工程と、ｃ）前記工程ｂ）の測定結果から前記バイオマーカーの減少量を算出する工程と、ｄ）前記虚血時間および前記バイオマーカーの前記減少量の関係を示す推定関数と、前記工程ｃ）の算出結果とから、前記臓器の前記虚血時間を推定する工程と、を有する。
【０００９】
本願の第２発明は、第１発明の虚血時間推定方法であって、前記工程ａ）の前に、ｅ）虚血時間が既知である複数の前記臓器に対して、前記バイオマーカーを含む灌流液を灌流する工程と、ｆ）前記工程ｅ）において複数の前記臓器のそれぞれから排出された排出液に含まれる前記バイオマーカーの濃度を測定する工程と、ｇ）前記工程ｆ）の測定結果から、複数の前記臓器のそれぞれについて前記バイオマーカーの前記減少量を算出する工程と、ｈ）複数の前記臓器の前記虚血時間と前記バイオマーカーの前記減少量との関係から、前記推定関数を算出する工程と、をさらに有する。
【００１０】
本願の第３発明は、第１発明または第２発明の虚血時間推定方法であって、前記臓器は、肝臓であって、前記バイオマーカーは、インドシアニングリーンである。
【００１１】
本願の第４発明は、第３発明の虚血時間推定方法であって、前記虚血時間は、温虚血時間である。
【００１２】
本願の第５発明は、第３発明または第４発明の虚血時間推定方法であって、前記推定関数は、前記虚血時間が大きくなるにつれて、前記バイオマーカーの前記減少量が大きくなる関数である。
【００１３】
本願の第６発明は、第３発明ないし第５発明のいずれかの虚血時間推定方法であって、前記推定関数は、前記バイオマーカーの前記減少量を、前記虚血時間の１次関数で示した関数である。
【００１４】
本願の第７発明は、摘出された臓器の虚血時間を推定する虚血時間推定装置であって、前記臓器にバイオマーカーを含む灌流液を灌流する灌流部と、前記灌流部において前記臓器から排出された排出液に含まれる前記バイオマーカーの濃度を測定する測定部と、前記測定部の測定結果から前記バイオマーカーの減少量を算出する減少量算出部と、前記虚血時間および前記バイオマーカーの前記減少量の関係を示す推定関数と、前記減少量算出部の算出した前記減少量とから、前記臓器の前記虚血時間を推定する虚血時間推定部と、を有する。
【００１５】
本願の第８発明は、第７発明の虚血時間推定装置であって、前記臓器は、肝臓であって、前記バイオマーカーは、インドシアニングリーンである。
【００１６】
本願の第９発明は、第８発明の虚血時間推定装置であって、前記虚血時間は、温虚血時間である。
【００１７】
本願の第１０発明は、第８発明または第９発明の虚血時間推定装置であって、前記推定関数は、前記虚血時間が大きくなるにつれて、前記バイオマーカーの前記減少量が大きくなる関数である。
【００１８】
本願の第１１発明は、第８発明ないし第１０発明のいずれかの虚血時間推定装置であって、前記推定関数は、前記バイオマーカーの前記減少量を、前記虚血時間の１次関数で示した関数である。
【発明の効果】
【００１９】
本願の第１発明から第１１発明によれば、摘出された臓器の虚血時間を推定できる。
【００２０】
特に、本願の第３発明または第８発明によれば、摘出された肝臓の虚血時間を推定できる。
【図面の簡単な説明】
【００２１】
【図１】第１実施形態に係る虚血時間推定装置の構成を示した概略図である。
【図２】第１実施形態に係る虚血時間推定装置の電気的接続を示したブロック図である。
【図３】第１実施形態に係る虚血時間推定方法の流れを示したフローチャートである。
【図４】第１実施形態に係る虚血時間推定方法における推定関数の一例を示すグラフである。
【図５】ＩＣＧを含む灌流液を灌流し始めてからの経過時間とＩＣＧの減少量との関係を示した概念図である。
【図６】第１実施形態に係る虚血時間推定方法に含まれる推定関数取得工程の流れを示すフローチャートである。
【図７】実験例における推定関数を示すグラフである。
【発明を実施するための形態】
【００２２】
以下、本発明の実施形態について、図面を参照しつつ説明する。本願において「ドナー」および「レシピエント」は、ヒトであってもよいし、非ヒト動物であってもよい。すなわち、本願において、「肝臓」を含む「臓器」は、ヒトの臓器であってもよいし、非ヒト動物の臓器であってもよい。また、非ヒト動物は、マウスおよびラットを含む齧歯類、ブタ、ヤギおよびヒツジを含む有蹄類、チンパンジーを含む非ヒト霊長類、その他の非ヒトほ乳動物であってもよいし、ほ乳動物以外の動物であってもよい。
【００２３】
＜１．第１実施形態＞
＜１−１．虚血時間推定装置の構成＞
本発明の第１実施形態に係る虚血時間推定装置１について、図１および図２を参照しつつ説明する。図１は、虚血時間推定装置１の構成を示した概略図である。図２は、虚血時間推定装置１の電気的接続を示したブロック図である。
【００２４】
図１に示すように、虚血時間推定装置１は、摘出された肝臓９が収容されるバイオリアクター領域１０と、灌流部２０と、計測部３０と、入力表示部７０と、制御部８０とを有する。
【００２５】
バイオリアクター領域１０には、肝臓９の少なくとも一部を灌流液または保存液等の液体に浸漬させることができる容器が配置される。
【００２６】
灌流部２０は、灌流液リザーバー２１と、灌流液供給配管２２と、灌流液供給配管２２に介挿されたポンプ２３、脱気ユニット２４、圧力計２５および流量計２６と、第１廃棄タンク２７と、灌流液排出配管２８と、灌流液排出配管２８に介挿されたポンプ２９とを有する。
【００２７】
灌流液リザーバー２１は、灌流液が貯留される灌流液容器である。灌流液リザーバー２１内に貯留される灌流液には、バイオマーカーであるインドシアニングリーン（以下「ＩＣＧ」と称する）が一定の割合で含まれている。具体的には、本実施形態の灌流液には、アルブミンおよびＩＣＧがそれぞれ４ｍｇ／Ｌの濃度で含まれている。また、灌流液は、赤血球または人工赤血球などの酸素運搬体を含んでもよい。
【００２８】
灌流液供給配管２２は、一端が灌流液リザーバー２１に接続され、他端が肝臓９の血管に接続される。具体的には、灌流液供給配管２２の他端は、肝臓９の門脈または肝動脈に接続される。ポンプ２３は、灌流液供給配管２２内に灌流液リザーバー２１から肝臓９へと向かう灌流液の流れを発生させる。脱気ユニット２４は、灌流液供給配管２２内を流れる灌流液に含まれる気体成分を除去する。圧力計２５は、灌流液供給配管２２内の圧力を計測する。流量計２６は、灌流液供給配管２２内の灌流液の流量を計測する。
【００２９】
第１廃棄タンク２７には、肝臓９から排出された灌流液（以下「排出液」と称する）が貯留される。灌流液排出配管２８は、一端が肝臓の血管に接続され、他端が第１廃棄タンク２７に接続される。具体的には、灌流液排出配管２８の一端は、肝上部下大静脈（ＳＨ−ＩＶＣ）または肝下部下大静脈（ＩＨ−ＩＶＣ）に接続される。ポンプ２９は、灌流液排出配管２８内に肝臓９から第１廃棄タンク２７へと向かう排出液の流れを発生させる。
【００３０】
灌流液排出配管２８のポンプ２９と第１廃棄タンク２７との間には、三方弁２８１が介挿されている。そして、三方弁２８１には、計測部３０の後述する計測用配管３１の一端が接続される。三方弁２８１を通常状態とすると、肝臓９から第１廃棄タンク２７へと排出液を向かわせる。一方、三方弁２８１を計測状態とすると、肝臓９から計測部３０の後述する第２廃棄タンク３２へと排出液を向かわせる。
【００３１】
計測部３０は、計測用配管３１と、第２廃棄タンク３２と、フィルタ３３と、吸光度計測部３４とを有する。
【００３２】
計測用配管３１は、一端が計測部３０の三方弁２８１に接続され、他端が第２廃棄タンク３２へと接続される。三方弁２８１を上述した計測状態とすると、計測用配管３１内には、灌流液排出配管２８内から三方弁２８１を介して第２廃棄タンク３２へと向かう排出液の流れが生じる。
【００３３】
計測用配管３１には、フィルタ３３が介挿されている。フィルタ３３において、計測用配管３１内の排出液中に含まれる赤血球や人工赤血球などの固形成分が除去される。これにより、吸光度計測部３４における吸光度の計測の際に、固形成分が吸光度の正確な計測を阻害することを抑制できる。
【００３４】
吸光度計測部３４は、フィルタ３３よりも第２廃棄タンク３２側に配置される。吸光度計測部３４は、計測用配管３１内を流れる排出液の特定波長帯における吸光度を計測する。本実施形態では、ＩＣＧの濃度を検出するため、中心波長が８０５ｎｍのレーザ光を用いて吸光度を計測する。吸光度計測部３４は、発光部３４１と、受光部３４２とを有する。発光部３４１と受光部３４２とは、計測用配管３１をはさんで向かい合って配置される。発光部３４１からは、計測用配管３１および受光部３４２に向かって特定波長帯の光を出射する。受光部３４２は、発光部３４１から出射され、計測用配管３１を通った光を受光する。
【００３５】
入力表示部７０は、外部から制御部８０へ指令信号を入力する入力部としての役割と、制御部８０からの信号を表示させる表示部としての役割とを有する。本実施形態の入力表示部７０には、タッチパネルが用いられる。しかしながら、入力表示部７０は、キーボードまたはマウス等の入力部と、液晶ディスプレイ等の表示部とにより構成されてもよい。
【００３６】
制御部８０は、虚血時間推定装置１内の各部を動作制御するための部位である。図２中に概念的に示したように、本実施形態の制御部８０は、ＣＰＵ等の演算処理部８０１、ＲＡＭ等のメモリ８０２、および、ハードディスクドライブ等の記憶部８０３を有するコンピュータにより構成されている。制御部８０は、ポンプ２３、脱気ユニット２４、圧力計２５、流量計２６、ポンプ２９、三方弁２８１、吸光度計測部３４および入力表示部７０と、それぞれ電気的に接続されている。
【００３７】
制御部８０は、記憶部８０３に記憶されたコンピュータプログラムＰやデータＤを、メモリ８０２に一時的に読み出し、当該コンピュータプログラムＰおよびデータＤに基づいて、演算処理部８０１が演算処理を行うことにより、虚血時間推定装置１内の各部を動作制御する。なお、制御部８０は、電子回路により構成されてもよい。
【００３８】
図２に示すように、制御部８０は、ＣＰＵによるプログラム処理によってソフトウェア的に実現される機能処理部として、動作制御部８１、吸光度算出部８２、マーカー濃度算出部８３、減少量算出部８４、虚血時間推定部８５、および推定関数算出部８６を有する。動作制御部８１は、虚血時間推定装置１の各部を動作制御する。
【００３９】
吸光度算出部８２は、受光部３４２の受光した光の強度Ｓ３４から、吸光度Ｓ８２を算出する。マーカー濃度算出部８３は、吸光度Ｓ８２より、排出液に含まれるＩＣＧの濃度Ｓ８３を算出する。吸光度計測部３４、吸光度算出部８２およびマーカー濃度算出部８３により、計測部３０において肝臓９から排出された排出液に含まれるＩＣＧの濃度Ｓ８３を測定する測定部４０を構成する。
【００４０】
減少量算出部８４は、測定部４０の測定結果、すなわち、マーカー濃度算出部８３の算出したＩＣＧの濃度Ｓ８３から、ＩＣＧの減少量Ｓ８４を算出する。虚血時間推定部８５は、予め推定関数算出部８６が算出した推定関数Ｓ８６と、減少量算出部８４の算出した減少量Ｓ８４とから、肝臓９の虚血時間を推定し、推定虚血時間Ｓ８５を入力表示部７０へと出力する。これにより、入力表示部７０には、推定虚血時間Ｓ８５が表示される。
【００４１】
推定関数算出部８６には、虚血時間が既知である複数の肝臓９のそれぞれについて、虚血時間が外部から入力される。また、これらの肝臓９のそれぞれについて、減少量算出部８４の算出した減少量Ｓ８４が入力される。これにより、推定関数算出部８６は、虚血時間とＩＣＧの減少量との関係を示す推定関数Ｓ８６を算出する。
【００４２】
なお、制御部８０が推定関数算出部８６を有さず、虚血時間推定部８５は、外部から入力された推定関数と、減少量算出部８４の算出した減少量Ｓ８４とから、肝臓９の虚血時間を推定する構成であってもよい。
【００４３】
＜１−２．虚血時間推定方法の流れ＞
次に、虚血時間推定装置１を用いた肝臓９の虚血時間の推定方法について、図３を参照しつつ説明する。図３は、虚血時間推定方法の流れを示したフローチャートである。図４は、推定関数Ｓ８６の一例を示すグラフである。
【００４４】
まず、推定関数Ｓ８６を取得する（ステップＳＴ１００）。ステップＳＴ１００の具体的な流れについては、後述する。図４の例の推定関数Ｓ８６は、虚血時間ｔが大きくなるにつれて、ＩＣＧの減少量ｆ（ｔ）が大きくなる関数である。また、図４の例の推定関数Ｓ８６は、ＩＣＧの減少量ｆ（ｔ）を、虚血時間ｔの１次関数で示した関数である。
【００４５】
まず、虚血時間を推定する対象の肝臓９が虚血時間推定装置１にセットされた後、動作制御部８１が灌流部２０による灌流を開始する（ステップＳＴ２００）。
【００４６】
そして、動作制御部８１は、灌流開始から所定時間経過後、三方弁２８１を計測状態として、吸光度計測部３４による計測を行う（ステップＳＴ３００）。ここで、図５は、ＩＣＧを含む灌流液を灌流し始めてからの経過時間とＩＣＧの減少量との関係を示した概念図である。図５に示すように、灌流開始から所定時間（図５の例では４０ｍｉｎ程度）経過すると、ＩＣＧの減少量が一定の範囲内に落ち着く。このため、ステップＳＴ３００における吸光度の計測は、灌流開始から４０ｍｉｎ後以降に行うことが好ましい。
【００４７】
ステップＳＴ３００では、具体的には、動作制御部８１が発光部３４１を駆動させてレーザ光を出射させる。そして、受光部３４２が受光した光の強度Ｓ３４を吸光度算出部８２へと入力する。吸光度算出部８２は、受光部３４２の受光した光の強度Ｓ３４から、吸光度Ｓ８２を算出する。その後、マーカー濃度算出部８３が、吸光度Ｓ８２より、排出液に含まれるＩＣＧの濃度Ｓ８３を算出する。
【００４８】
次に、減少量算出部８４は、マーカー濃度算出部８３の算出したＩＣＧの濃度Ｓ８３から、ＩＣＧの減少量Ｓ８４を算出する（ステップＳＴ５００）。
【００４９】
なお、ステップＳＴ２００における灌流を開始する前には、予め、ＩＣＧを含まない灌流液と、肝臓に供給する前のＩＣＧを含む灌流液とについて、計測部３０において光の強度Ｓ３４を計測している。吸光度算出部８２、マーカー濃度算出部８３および減少量算出部８４は、これらのデータに基づいて、吸光度Ｓ８２、ＩＣＧの濃度Ｓ８３およびＩＣＧの減少量Ｓ８４を算出する。
【００５０】
受光部３４２の受光する光の強度Ｓ３４が小さい場合、吸光度算出部８２で算出される吸光度Ｓ８２の値は大きくなる。これにより、マーカー濃度算出部の算出する、排出液に含まれるＩＣＧの濃度Ｓ８３も大きい値となる。そして、減少量算出部８４の算出するＩＣＧの減少量Ｓ８４は、小さい値となる。一方、受光部３４２の受光する光の強度Ｓ３４が大きい場合、吸光度算出部８２で算出される吸光度Ｓ８２の値は小さくなる。これにより、マーカー濃度算出部の算出するＩＣＧの濃度Ｓ８３も小さい値となる。そして、減少量算出部８４の算出するＩＣＧの減少量Ｓ８４は大きい値となる。
【００５１】
その後、虚血時間推定部８５は、ステップＳＴ１００において取得した推定関数Ｓ８６と、減少量算出部８４の算出した減少量Ｓ８４とから、肝臓９の虚血時間を推定する（ステップＳＴ６００）。具体的には、図４に示す推定関数Ｓ８６から、減少量算出部８４の算出した減少量Ｓ８４とＩＣＧの減少量ｆ（ｔ）とが一致する虚血時間ｔを参照し、当該虚血時間ｔを肝臓９の虚血時間として推定する。
【００５２】
このように、バイオマーカーであるＩＣＧと、推定関数Ｓ８６とを用いて、摘出された肝臓９の虚血時間を推定することができる。
【００５３】
続いて、ステップＳＴ１００における推定関数Ｓ８６の取得工程について、図６を参照しつつ説明する。図６は、虚血時間推定方法に含まれる推定関数取得工程の流れを示すフローチャートである。このステップＳＴ１００では、虚血時間が既知であるＮ個（複数）のテスト肝臓に対して、それぞれＩＣＧの減少量Ｓ８４を取得することにより、推定関数Ｓ８６を取得する。
【００５４】
ステップＳＴ１００の開始時には、制御部８０は、カウント数ｎをｎ＝０にセットしておく。そして、図６に示すように、まず、テスト肝臓の１つを虚血時間推定装置１にセットする（ステップＳＴ１０１）。
【００５５】
そして、ステップＳＴ２００〜ステップＳＴ５００と同様、テスト肝臓に対する灌流を開始し（ステップＳＴ１０２）、灌流開始から所定時間の経過後、吸光度Ｓ８２およびＩＣＧの濃度Ｓ８３を測定・算出し（ステップＳＴ１０３）、灌流を停止させた（ステップＳＴ１０４）後に、ＩＣＧの減少量Ｓ８４を算出する（ステップＳＴ１０５）。
【００５６】
ステップＳＴ１０１〜ステップＳＴ１０５におけるテスト肝臓のＩＣＧの減少量Ｓ８４が算出が完了すると、カウント数ｎをインクリメントする（ステップＳＴ１０６）。そして、カウント数ｎがテスト肝臓の個数Ｎ以上となったか否かを判断する（ステップＳＴ１０７）。
【００５７】
ステップＳＴ１０７において、カウント数ｎがテスト肝臓の個数Ｎ未満である場合、ステップＳＴ１０１に戻り、次のテスト肝臓についてステップＳＴ１０１〜ステップＳＴ１０５を行う。
【００５８】
ステップＳＴ１０７において、カウント数ｎがテスト肝臓の個数Ｎに達した場合、すなわち、Ｎ個全てのテスト肝臓についてＩＣＧの減少量Ｓ８４の算出が完了した場合、ステップＳＴ１０８へと進む。
【００５９】
そして、Ｎ個のテスト肝臓の虚血時間とＩＣＧの減少量Ｓ８４との関係から、推定関数算出部８６が、推定関数Ｓ８６を算出する。具体的には、本実施形態の推定関数算出部８６は、図４に示すように、推定関数ｆ（ｔ）を、ＩＣＧの減少量Ｓ８４を、虚血時間ｔの１次関数で示した関数として算出する。推定関数算出部８６は、例えば、Ｎ個のテスト肝臓についての虚血時間と算出されたＩＣＧの減少量Ｓ８４とから、最小二乗法等の近似方法を用いて推定関数ｆ（ｔ）を算出する。図４に示す推定関数ｆ（ｔ）は、虚血時間ｔが大きくなるにつれて、ＩＣＧの減少量が大きくなる関数である。
【００６０】
＜１−３．実験例＞
ステップＳＴ１００の推定関数取得工程について、実験例を以下に示す。図７は、一実験例に係る推定関数ｆ（ｔ）のグラフである。当該実験例においては、虚血時間ｔが既知である４個のブタのテスト肝臓について、ステップＳＴ１０２〜ステップＳＴ１０５を行った。なお、当該実験例では、虚血時間ｔは温虚血時間である。
【００６１】
その結果、図７に示すように、虚血時間０ｍｉｎのテスト肝臓では、ＩＣＧの減少量Ｓ８４が０．２５５μｇ／ｍｌであり、虚血時間３０ｍｉｎのテスト肝臓では、ＩＣＧの減少量Ｓ８４が０．３８８μｇ／ｍｌであり、虚血時間６０ｍｉｎのテスト肝臓では、ＩＣＧの減少量Ｓ８４が０．４９６μｇ／ｍｌであり、虚血時間１２０ｍｉｎのテスト肝臓では、ＩＣＧの減少量Ｓ８４が０．９１９μｇ／ｍｌであった。
【００６２】
これら４データについて、最小二乗法を用いて１次関数の近似曲線を算出すると、ｆ（ｔ）＝０．００５５ｔ＋０．２２３５として推定関数ｆ（ｔ）が算出される。
【００６３】
図７に示すように、ＩＣＧをバイオマーカーとして肝臓の温虚血時間を推定する場合、推定関数ｆ（ｔ）を虚血時間ｔの１次関数に近似させることが適当と考えられる。推定関数ｆ（ｔ）は、虚血時間ｔが大きくなるにつれて、ＩＣＧの減少量が大きくなる関数である。
【００６４】
この場合、ステップＳＴ５００において算出されたＩＣＧの減少量Ｓ８４が０．５μｇ／ｍｌであるとすると、ステップＳＴ６００において、温虚血時間が約５１ｍｉｎであると推定される。
【００６５】
＜２．変形例＞
以上、本発明の一実施形態について説明したが、本発明は、上記の実施形態に限定されるものではない。
【００６６】
上記の実施形態や変形例では、推定関数を虚血時間の１次関数として算出したが、本発明は、これに限られない。推定関数は、虚血時間の２次関数や、３次以上の高次関数であってもよいし、指数関数等の他の関数であってもよい。
【００６７】
また、上記の実施形態や変形例に登場した各要素を、矛盾が生じない範囲で、適宜に組み合わせてもよい。
【符号の説明】
【００６８】
１  虚血時間推定装置
９  肝臓
２０  灌流部
２１  灌流液リザーバー
３０  計測部
３４  吸光度計測部
４０  測定部
８０  制御部
８１  動作制御部
８２  吸光度算出部
８３  マーカー濃度算出部
８４  減少量算出部
８５  虚血時間推定部
８６  推定関数算出部
Ｓ３４  強度
Ｓ８２  吸光度
Ｓ８３  濃度
Ｓ８４  減少量
Ｓ８５  推定虚血時間
Ｓ８６  推定関数
【図１】
2020046240.tif 000003
【図２】
2020046240.tif 000004
【図３】
2020046240.tif 000005
【図４】
2020046240.tif 000006
【図５】
2020046240.tif 000007
【図６】
2020046240.tif 000008
【図７】
2020046240.tif 000009